(57)【要約】【課題】  機器の筐体を構成する複数ケース部材だけで構成できるストラップの取り付け構造を提供することにある。【解決手段】  電子機器におけるストラップの取り付け構造であって、前記電子機器の筐体は第１の筐体構成部と第２の筐体構成部で構成され、前記第１の筐体構成部の所定の部位に筒状の嵌合穴を形成し、前記第２の筐体構成部の前記嵌合穴と対向する部位に嵌合軸を形成し、前記嵌合穴に前記嵌合軸が挿嵌する構造であることを特徴とする。【選択図】  図４
2015065273.tif 000002
【特許請求の範囲】
【請求項１】
電子機器におけるストラップの取り付け構造であって、
前記電子機器の筐体は第１の筐体構成部と第２の筐体構成部で構成され、前記第１の筐体構成部の所定の部位に筒状の嵌合穴を形成し、前記第２の筐体構成部の前記嵌合穴と対向する部位に嵌合軸を形成し、前記嵌合穴に前記嵌合軸が挿嵌する構造であることを特徴とする電子機器のストラップ取り付け構造。
【請求項２】
請求項１に記載のストラップの取り付け構造であって、
前記嵌合穴は前記第１の筐体構成部を貫通する前記嵌合軸より直径が小さいネジ穴を有し、
前記嵌合軸の前記嵌合穴に挿嵌される側の先端に、第１の筐体構成部と第２の筐体構成部を締結するための所定のネジに対応するネジ受け部を有する構造であることを特徴とする電子機器のストラップ取り付け構造。
【請求項３】
請求項１または２に記載のストラップの取り付け構造において、
前記筐体の形状は略直方体であって、前記嵌合穴および前記嵌合軸は、前記筐体の複数の箇所に形成された構造であることを特徴とする電子機器のストラップ取り付け構造。
【発明の詳細な説明】
【技術分野】
【０００１】
本発明は、電子機器のストラップの取り付け構造に関する。
【背景技術】
【０００２】
携帯ラジオや携帯電話機等は、それ等の機器を携行するためのストラップを取り付けるストラップ取り付け構造が設けられているのが一般的である（例えば、特許文献１）。
【０００３】
しかしながら、特許文献１に記載されたストラップの取り付け構造は、機器の筐体を構成するケース以外にストラップ取り付け構造を構成するための専用の部材を必要とし、その分、製造工程が複雑になるという問題がある。
【先行技術文献】
【特許文献】
【０００４】
【特許文献１】特開２０１３−１５２４２８号公報
【発明の概要】
【発明が解決しようとする課題】
【０００５】
そこで、本発明は機器の筐体を構成する複数ケース部材だけで構成できるストラップの取り付け構造を提供することにある。
【課題を解決するための手段】
【０００６】
上記の課題を解決するために、本発明は、電子機器におけるストラップの取り付け構造であって、前記電子機器の筐体は第１の筐体構成部と第２の筐体構成部で構成され、前記第１の筐体構成部の所定の部位に筒状の嵌合穴を形成し、前記第２の筐体構成部の前記嵌合穴と対向する部位に嵌合軸を形成し、前記嵌合穴に前記嵌合軸が挿嵌する構造であることを特徴とする。
【発明の効果】
【０００７】
本発明によれば、機器の筐体を構成する複数ケース部材だけで構成できるストラップの取り付け構造を提供できる。
【図面の簡単な説明】
【０００８】
【図１】本発明の実施の一形態に係る音響機器を示す斜視図
【図２】図１の状態からリアケースをはずした状態を示す図
【図３】図１の状態からフロントケースをはずした状態を示す図
【図４】フロントケースとリアケースの嵌合を示す図１のＡ−Ａ線断面図
【図５】本発明の実施の一形態に係る音響機器を示す斜視図
【図６】フロントケースとリアケースの嵌合を示す図５のＡ−Ａ線断面図
【発明を実施するための形態】
【０００９】
以下に、電子機器として音響機器を例に、図面を参照しながら、本発明の実施の一形態について説明する。ただし、以下の説明は、あくまでも本発明の例示にすぎず、以下の記載によって発明の技術的範囲が限定されるものではない。
【実施例１】
【００１０】
図１は、本発明の実施の一形態に係る音響機器１を示す斜視図である。音響機器１の筐体を構成するフロントケース２と、音響機器１の筐体を構成するリアケース３から成る構造を表している。音響機器１は後述するストラップ取り付け部４を有しており、ストラップの取り付け構造について、以下で説明する。
【００１１】
図２は、図１の状態からリアケース３をはずした状態を示す図である。フロントケース２の上部角の左右に円筒状の嵌合穴２０、２１を形成する。円筒状とは断面形状が真円に限定ではなく楕円形状等も含む。嵌合穴２０、２１の外壁には、ストラップが引っ張られるなどして嵌合穴２０、２１に外力が加わった際に破損しないための補強となるリブ２２、２３、２４、２５を設ける。なお、リブ２２、２３、２４、２５は、嵌合穴２０及び２１に対して各２本ずつ設けているが、強度に応じて数は問わない。
【００１２】
図３は、図１の状態からフロントケース２をはずした状態を示す図である。リアケース３には前述の嵌合穴２０、２１と対向する部位に円筒状の嵌合軸３０、３１を形成する。円筒状とは断面形状が真円に限定ではなく楕円形状等も含む。嵌合軸３０、３１の外壁には、ストラップが引っ張られるなどして嵌合軸３０、３１に外力が加わった際に破損しないための補強となるリブ３２、３３、３４、３５を設ける。なお、リブ３２、３３、３４、３５は、嵌合軸３０及び３１に対して各２本ずつ設けているが、強度に応じて数は問わない。また、嵌合軸３０、３１の直径を太くすることで、更に破損しにくいストラップの取り付け構造を提供できる。
【００１３】
図４は、ストラップ取り付け部４を構成するフロントケース２とリアケース３の嵌合を示す図１のＡ−Ａ線断面図である。嵌合穴２０に嵌合軸３１を挿嵌した状態を表している。嵌合穴２１に嵌合軸３０を挿嵌した状態も同様である（図示せず）。
【００１４】
なお、上記一実施例では、フロントケース２に嵌合穴２０、２１を形成し、リアケース３に嵌合軸３０、３１を形成する場合について説明したが、フロントケース２に嵌合軸３０、３１を形成し、リアケース３に嵌合穴２０、２１を形成する場合も同様である（図示せず）。
【実施例２】
【００１５】
図５は、本発明の実施の一形態に係る音響機器１を示す斜視図である。フロントケース２の上部角の左右にネジ穴２６、２７を形成する。
【００１６】
図６は、ストラップ取り付け部４を構成するフロントケース２とリアケース３をネジ５による締結を示す図５のＡ−Ａ線断面図である。嵌合軸３１の嵌合穴２０に挿嵌される側の先端に、フロントケース２とリアケース３を締結するための所定のネジに対応するネジ受け部２８を形成する。その他の部分については、実施例１と同様である。実施例２では、実施例１で説明したストラップ取り付け部４をフロントケース２とリアケース３をネジ５で締結する構造も兼ねた例である。
【００１７】
以上説明した通り、本発明によれば、機器の筐体を構成する複数ケース部材だけで構成できるストラップの取り付け構造を提供できる。
【００１８】
なお、実施の一形態においては、電子機器として音響機器を例に説明したが、本発明の構造は、電子機器一般に適用可能であり、音響機器以外に、特にストラップを用いて携帯性を求められる機器にも適している。また、嵌合穴２０、２１および嵌合軸３０、３１を音響機器１の上部両端に設けているが、その数は２以上であればよく、また設置個所については本発明の趣旨を阻害しないものであれば、これに限定されないものとする。
【符号の説明】
【００１９】
１…音響機器、２…フロントケース、３…リアケース、４…ストラップ取り付け部、５…ネジ、２０…嵌合穴、２１…嵌合穴、２２…リブ、２３…リブ、２４…リブ、２５…リブ、２６…ネジ穴、２７…ネジ穴、ネジ受け部…２８、３０…嵌合軸、３１…嵌合軸、３２…リブ、３３…リブ、３４…リブ、３５…リブ
【図１】
2015065273.tif 000003
【図２】
2015065273.tif 000004
【図３】
2015065273.tif 000005
【図４】
2015065273.tif 000006
【図５】
2015065273.tif 000007
【図６】
2015065273.tif 000008